(57)【要約】      （修正有）【課題】梅雨や夏などに、就寝時に敷いて、香ばしい茶葉の香り、シリコーン半球の指圧効果による脳のリラックスと自然なひんやり感の癒し効果及び吸汗放熱効果により、良質な安眠をもたらす安眠茶シートを提供する。【解決手段】寝ている時に枕や背中当接域に敷き置いて使用され、内部に茶葉を充填してある横長略矩形の袋状シート体であって、枕に当接する枕茶シート１と背面側の背面茶シート２から成り、夫々を覆い包む枕茶シートカバー３と背面茶シートカバー４との接続結合を介して一体的なシート体を成し、枕茶シートは仕切り線により内部を三分割された茶葉充填房に茶葉が配分封入充填され、中央よりやや上部よりにシリコーン半球数個が設置してあり、背面茶シートは、多数の小区画房に茶葉が配分封入充填された背当て部と中央域にパイプ又は茶葉が充填された腰当て部との結合体から成り、接続部で分離されて各々単独でも使用できる。【選択図】図１
0003223936.tif 000002
【実用新案登録請求の範囲】
【請求項１】
寝ている時に枕や背中当接域に敷き置いて使用され、内部に茶葉を充填してある横長略矩形の袋状シート体であって、枕に当接する枕茶シートと背中及び腰に当接する背面茶シートから成り、夫々を覆い包むカバー体、即ち枕茶シートカバーと背面茶シートカバーとの接続結合を介して一体的なシート体を成すのであり、その上に人が寝て使用する状態において、身長方向を縦と呼び、左右方向を横と呼び、縁辺の頭頂部側を上、下半身側を下と呼んで、以下説明するが、
枕茶シートにおいて、
通気性富む横長生地で成り、長手に平行する仕切り線に沿って三分割された袋状・即ち三つの茶葉充填房が形成されており、各々の茶葉充填房の長手辺又は短手辺に沿ってファスナー式の充填口が設けてあり、茶葉がそこから充填されて、数ｃｍ厚みのシート状に成っており、更に長手中心線に沿ってやや頭頂側に寄った領域に、横一線状の２列、左右均等に、各々数個ずつ、シリコーン半球を、扁平面を枕側に、球面を天井側に向けて、設置してあり、その内の、列の左右両端側の数個は着脱式で、他は固定しているが、
枕茶シートカバーにおいて、
長手辺の一方・即ち上辺中央域にカバーファスナーが設けてあり、カバーファスナーの左右それぞれの隣接位置から対向する長手辺即ち下辺の対称的位置に両端を固定されてループ状を成す二つの紐体、即ち装着紐が設けてあり、装着紐の外面には上辺の固定位置から長さの中間まで装着調節部を成し、他方・即ち下辺沿いに、背面茶シートカバーとの接続部が設けてあり、
背面茶シートにおいて、
枕茶シートと同様の生地で成り、横長略矩形状であり、上：下≒４：３に二分割する横直線に沿って上下各々独立の袋体として閉じられると共に、分離結合部を成し、上部域を背当て部、下部域を腰当て部と成し、背当て部も腰当て部も共に全面に亘って、ほぼ均等に仕切られて整列した多数の小区画房が形成されてあり、
背当て部においては、茶葉が各小区画房に配分封入充填されて、数ｃｍ厚みの膨らみに形成してあり、上辺沿い中央域に一定の間隔で、数ｃｍ径のループ・即ち接続紐輪が複数個設けてあり、
腰当て部においては、腰当て部中央域の各小区画房には、小パイプ片又は茶葉が充填され、残余域の各小区画房には、茶葉を封入充填して、厚み数ｃｍの膨らみに形成されているのであり、
背面茶シートカバーにおいて、
上辺即ち背当て部縁沿い中央域に、枕茶シートカバー下辺域の接続部に対応する形で、接続部が設けてあり、この接続部の真裏側の袋内部には、背面茶シートの接続紐輪に対応する複数の接続紐が設けてあり、
下辺即ち腰当て部縁沿いに背面茶シート出し入れ口が設けてあり、
斯用に一体的に構成された枕茶シートと背面茶シートは、夫々を覆い包む枕茶シートカバーと背面茶シートカバーとの接続部において分離されて、
各々単独品として使用することも自由であり、
以上を特徴とする安眠茶シート。
【請求項２】
背面茶シートカバーにおいて、防水・撥水性素材を用いたことを特徴とする請求項１に記載の安眠茶シート。
【考案の詳細な説明】
【技術分野】
【０００１】  本考案は、寝ている時、枕や背中当接域に敷き置いて使用される茶葉入り袋状シートに関する。
【背景技術】
【０００２】  梅雨から夏が終わるまでは寝苦しく、以前は茶枕や寝ござなどを使用し、近年はエアコンにより睡眠不足に対処しているが、それでも寝つきが悪かったり、寝汗をかいたり、冷え過ぎたりして必ずしも満足いくものではなかった。またそれ以外の季節でも、寝つきが悪い、子育て中の女性は夜中に何回も起きるため眠りが浅い、などの悩みがあった。特に、梅雨から夏が終わるまでの寝不足は非常につらい。これを解消するために、茶枕は古くから安眠効果があることが知られて使われており、これに関連した先行技術も知られている（特許文献１、２及び３参照）。また、脳のリラックスのために指圧機能によるマッサージ効果をもった枕も知られている（特許文献４参照）。また、冷却効果がある薄い枕装着シート（特許文献５参照）がある。以前は梅雨から夏が終わるまでの寝苦しさを解決するために、寝ござなどを使用していたが、近年は化学繊維技術の発達により、東レ「キュープラテ」、「クールイン」、東洋紡「アイスマックス」、クラレ「ソフィスタ」、三菱レイヨン「リンダ」、旭化成「メープルクール」、帝人「ベルオアシス」などの接触冷感素材などが開発・販売され、冷感シーツや冷感枕カバーとして使用されている。また、シーツやパッドとして種々の充填材を充填したものも知られている（特許文献６及び７参照）。
【先行技術文献】
【特許文献】
【０００３】
【特許文献１】特開平８−１３１３０７号  公報
【特許文献２】実願昭６１−１５８８４６号  公報
【特許文献３】実用新案登録第３０７４４１９号  公報
【特許文献４】実用新案登録第３０２６８５６号  公報
【特許文献５】実用新案登録第３０９７１８４号  公報
【特許文献６】特開２００４−２４５７１号  公報
【特許文献７】実用新案登録第３０９８２９３号  公報
【考案の概要】
【考案が解決しようとする課題】
【０００４】（イ）茶枕やこれに類した先行技術（特許文献１、２及び３）だけでは梅雨から夏が終わるまでは寝苦しく、またこの時期は背中の部分に徐々に熱がこもり首や背中に汗をかいて寝不足に陥りやすい。また指圧機能によるマッサージ効果をもった枕（特許文献４）は、指圧子がセラミックス製で硬く痛く感じる難点があり、冷却効果がある薄い枕装着シート（特許文献５）でも充填材が痛く感じリラックスさせる効果はなく、これらではこの時期の就寝時には首筋、背中や腕に汗をかいて不快であった。
（ロ）寝ござは最初は涼しいが汗を吸わず徐々に熱がこもり、身体が汗でベタベタしてくる。ベッドや敷布団に敷いて使う敷パッド（特許文献６及び７）はあるが介護用途を主目的としているために脳のリラックス効果はなく安眠への効果はなかった。また自然素材でなく通気性が良くなく、ひんやり冷感によってリラックスして安眠できるような敷パッドはなかった。また面積・体積が大きいため、携帯してどこでも使用できるものはなかった。
（ハ）接触冷感素材を用いた市販の冷感シーツや冷感枕カバーはひんやりするが、自然素材でなく通気性があまり良くないため、長時間使用すると熱がこもってしまい汗をかき、癒しの効果がなく脳のリラックスは得られない。
（ニ）夏の背中の寝汗は、マットレスの染みや黄ばみになり、カビ発生の原因になってぜんそくなど身体に悪影響を与える恐れがある。
（ホ）エアコンだけの場合、低い温度設定は電力消費も大きく、また冷え過ぎて乳幼児や冷えやすい人では身体に不具合が出ることがある。
（ヘ）寝苦しいとき、寝つきが悪いとき、眠りが浅いときに、茶枕や他の機能をもった枕や冷感シーツなど安眠に若干の効果があるものもあるが、外泊した場合にはそのような枕やシーツの設置はなく、容易に携帯して使えるものもなかった。
（ト）乳幼児は体温が高く、市販の冷感シーツでは通気性が良くないため、就寝時やお昼寝する際に熱がこもってしまい寝苦しい。
（チ）茶枕は香ばしい香りがなくなっても自由に茶葉交換ができない。
本考案は、以上のような問題点を解決する為になされたものである。
【課題を解決する為の手段】
【０００５】  寝ている時に枕や背中当接域に敷き置いて使用され、内部に茶葉を充填してある横長略矩形の袋状シート体であって、枕の上に当接する枕茶シートと背中及び腰に当接する背面茶シートから成り、夫々を覆い包むカバー体、即ち枕茶シートカバーと背面茶シートカバーとの接続結合を介して一体的なシート体を成す。
その上に人が寝て使用する状態において、身長方向を縦と呼び、左右方向を横と呼び、縁辺の頭頂部側を上、下半身側を下と呼んで、以下説明する。
枕茶シートにおいて、
１００％綿のような通気性に富む生地で成り、横長手約５０ｃｍ×縦短手約３０ｃｍの大きさであり、長手に平行する仕切り線に沿って三分割された袋状・即ち三つの茶葉充填房が形成されており、各々の茶葉充填房の長手辺又は短手辺に沿ってファスナー式の充填口が設けてあり、そこから中に充填される茶葉は合計で約４００ｇ〜６００ｇの量であって、それが三つの茶葉充填房に配分されて、厚み約１ｃｍ〜３ｃｍのシート体に成っており、更に長手中心線に沿ってやや頭頂側に寄った領域に、横一線状の２列、左右均等に、各々数個ずつ、約２．５ｃｍ径シリコーン半球を、扁平面を枕側に、球面を天井側に向けて、設置してあり、その内の列の左右両端側の数個は着脱式で、他は固定してある。
枕茶シートカバーにおいて、
長手辺の一方・即ち上辺中央域にカバーファスナーが設けてあり、カバーファスナーの左右両端夫々の隣接位置から対向する長手辺即ち下辺の対称的位置に両端を固定されてループ状を成す紐体、即ち幅約２．５ｃｍ、長さ約５３ｃｍの平ゴム紐で成る二つの装着紐が設けてあり、装着紐の外面には上辺の固定位置から長さの中間までの長さ調節用面ファスナーが設けられて装着調節部を成し、
長手辺の他方・即ち下辺沿いに、スナップ取付け片数個又は面ファスナーを設けて、背面茶シートカバーとの接続部を成す。
背面茶シートにおいて、
枕茶シートと同様の生地で成り、長手即ち横幅約１００ｃｍ〜１１０ｃｍ、短手即ち縦約６０ｃｍ〜６５ｃｍの、カボチャの縦中央切断面の様な略矩形状であり、上：下≒４：３に二分割する横直線に沿って、上下各々独立の袋体として閉じられると共に、面ファスナー式の分離結合部を成し、上部域を背当て部、下部域を腰当部と成し、背当て部も腰当て部も共に全面に亘って、キルティング加工で、横約１３ｃｍ・縦約６ｃｍにほぼ均等に仕切られて整列した多数の小区画房が形成されており、
背当て部においては、合計約３４０ｇの茶葉が各小区画房に配分封入充填されて、厚み約１ｃｍ〜３ｃｍの膨らみに形成してあり、上辺沿い中央域に一定の間隔で、約４ｃｍ径のループ・即ち接続紐輪が５個設けてあり、
腰当て部においては、左右に二分する縦中心線から左右へ夫々約２６ｃｍの腰当て部中央域の各小区画房には、小パイプ片充填材約６５ｇ又は茶葉約１５０ｇが充填してあり、中央域以外の残余域の各小区画房には、合計約３０ｇの茶葉を配分封入充填して、厚み約１ｃｍ〜３ｃｍの膨らみに形成されている。
背面茶シートカバーにおいて、
上辺即ち背当て部縁沿い中央域に、枕茶シートカバー下辺域の接続部に対応する形で、スナップ取付け片又は面ファスナーで成る接続部が設けてあり、この接続部の真裏側の袋内部には、背面茶シートの接続紐輪に対応する５本の接続紐が設けてあり、
下辺即ち腰当て部縁沿いにファスナー式の背面茶シート出し入れ口が設けてある。
斯用に一体的に構成された枕茶シートと背面茶シートは、夫々を覆い包む枕茶シートカバーと背面茶シートカバーとの接続部において分離されれば、各々単独品として使用する事も自由である。
以上を特徴とする安眠茶シートである。
また表面を防水性・撥水性素材とした背面茶シートカバーを背面茶シートに被せれば、乳幼児の就寝時やお昼寝での汚れ防止に使用できる。
【考案の効果】
【０００６】  日本茶には、抗酸化作用や血圧上昇抑制作用だけでなく、飲むことにより覚醒作用があり、香りをかぐとその鎮静作用によって、緊張をほぐしたり、脳をリラックスさせる効果があることが知られている。特に焙じ茶では焙じることにより成分中の香り成分であるピラジンやテアニンの効果によって癒し効果がより高いとされる。また茶葉にはこのような香りによるリラックス効果以外にも、通気性、吸湿性、消臭性、抗菌性等があるため、家庭用には住まいの吸湿脱臭剤としても用いられている。通気性、吸湿性に由来する放熱性を利用して、古くから茶枕として夏季の安眠用に使用されている。考案者は、適度な分量の茶葉を充填した１ｃｍ〜３ｃｍ程度の厚さの通気性に富んだ生地を用いた袋状のシートが、癒し効果が期待できる十分な香りを保持し、抗菌、消臭、通気、吸汗放熱性も保て、自然なひんやり感と、適度なクッション性もあり、枕に装着したり背中に敷くことで、梅雨から夏の終わるまでの寝苦しく寝汗をかく時期でも安眠に誘われ、更に軽量でコンパクトになり携帯性にも適していることを見出した。
（イ）枕茶シート及び枕茶シートカバーは、茶葉の香ばしい香りによる脳のリラックス効果と綿生地の通気性、吸湿性及び茶葉の通気性、吸汗放熱性による自然なひんやり冷感で首筋に汗をかきにくく、寝苦しさを改善する。枕茶シートは適当な量の茶葉を充填しているため、適度なクッションで快く眠りに誘われ、数段に分割しているので茶葉が偏りにくく寝やすい。
（ロ）枕茶シートに設置したシリコーン半球は適度な硬さで、頭にフィットして常に包み込み、後頭部にあたると指圧のように血流を促進する効果で、茶葉の香りによる脳のリラックス効果と併せて癒され更に安眠に誘われる。
（ハ）枕茶シート及び枕茶シートカバーは適度な大きさと厚さで、設置した面ファスナー付平ゴム紐又は紐を使って、どんな形状、材質の枕やシーツにも生地を傷めることなく装着でき、またそのまま枕としても使え、軽量で携帯が容易で、旅行先でもどこでも、香ばしく香り高い茶枕を手にでき、梅雨から夏の終わるまでリラックスしてぐっすり眠れる。
（ニ）ファスナーを設けた枕茶シートは、いつでも贅沢に香ばしい香りにこだわる人は容易に茶葉を交換できる。また３分割加工しているので、茶葉が偏りにくく適度なクッションで快適に眠れる。
（ホ）安眠茶シートは天日干しで乾燥していつも快適で、またエアウォッシャーによりオゾン洗浄することで、水を使わないで汗の汚れを分解し洗浄・消臭ができるのでとても衛生的であり、茶葉の香りは弱くなっても吸汗放熱効果によりさわやかで快適である。また夫々の茶シートカバーは容易に取り外して洗濯でき衛生的である。
（ヘ）背面茶シートは、キルティング加工がしてあるので、茶葉が偏りにくくいつでも快適な睡眠を提供する。お茶の香りと通気性、吸汗放熱性による自然なひんやり冷感によって、背中の部分に熱がこもらず、首筋、背中、腕に汗をかきにくく、寝苦しさを解消する。更に腰当て部は腰にあたる部分にパイプが入っているので、腰も冷えすぎず、クッションもよく女性に優しい。腰当て部には、腰にあたる部分に茶葉が入っているタイプもあり、男性又は乳幼児に適した、大人と子供の兼用型である。背面茶シートは上下に分割されているため、使う人、用途に合わせて腰当て部を使い分け、背当て部に接続して使用できるので便利である。
（ト）背面茶シート及び背面茶シートカバーのカボチャの断面のような略矩形状と大きさは、大人が左右に寝返りを打ってもちょうどよい形状と大きさで、身体や腕がはみ出さずいつでも心地よい。
（チ）枕茶シート及びカバーと背面茶シート及びカバーをスナップ等で接続し安眠茶シートとして使えば、夏が終わるまで両者の相乗効果で吸汗放熱効果及びリラックス効果もアップし更に快適な安眠効果が得られる。旅行など移動時には、折りたたんだ背面茶シートと枕茶シートを重ねて一体とし、枕茶シートカバーの面ファスナー付平ゴム紐又は紐で留めて、軽量コンパクトで持ち運びも便利である。
（リ）安眠茶シートは、枕茶シートも背面茶シートも寝返りを打ってもちょうどよい大きさで、これを使えばひんやり冷感のために、夏の寝苦しいときや寝汗をかくときでも、エアコンの設定温度は低くしなくてもよく、特に乳幼児は冷え過ぎないので体調も壊すこともなく、節電で省エネにも貢献する。
（ヌ）安眠茶シートを使えば、枕やマットレスは汗で汚れないので染みや黄ばみもなく衛生的で長持ちする。
（ル）乳幼児は体温が高いので、吸汗放熱効果に優れた焙じ茶を充填した腰当て部を接続した背面茶シートは、就寝時やお昼寝もぐっすり最適であり、どこへ出かけるにも携帯に便利である。更に表面に防水性・撥水性素材を用いた背面茶シートカバーを使用すれば、よだれや戻し乳、嘔吐、おねしょ、汚れなどで安眠茶シートが汚れることを防止できる。
【図面の簡単な説明】
【０００７】
【図１】本考案の全体像を示す平面図
【図２】本考案の一部である枕茶シートを示す平面図
【図３】本考案の一部である枕茶シートカバーを示す平面図
【図４】本考案の一部である背面茶シートを示す平面図
【図５】本考案の一部である背当て部を示す平面図
【図６】本考案の一部である腰当て部を示す平面図
【図７】本考案の一部である背面茶シートカバーを示す平面図
【図８】本考案の一部である枕茶シートカバーの使用例を示す平面図
【考案を実施するための形態】
【０００８】  以下、本考案の実施の形態を説明する。
寝ている時に枕や背中当接域に敷き置いて使用され、内部に茶葉を充填してある横長略矩形の袋状シート体であって、枕の上に当接する枕茶シート（１）と背面側の背面茶シート（２）から成り、夫々を覆い包むカバー体、即ち枕茶シートカバー（３）と背面茶シートカバー（４）との接続結合を介して一体的なシート体を成す。
その上に人が寝て使用する状態において、身長方向を縦と呼び、左右方向を横と呼び、縁辺の頭頂部側を上、下半身側を下と呼んで、以下説明する。
枕茶シートにおいて、
１００％綿のような通気性に富む生地で成り、横長手約５０ｃｍ×横短手約３０ｃｍの大きさであり、長手に平行する仕切り線（１８）に沿って三分割された袋状・即ち三つの茶葉充填房（５）が形成されており、各々の茶葉充填房の長手辺又は短手辺に沿ってファスナー式の充填口（６）が設けてあり、そこから中に充填される茶葉は合計で約４００ｇ〜６００ｇの量であって、それが三つの茶葉充填房に配分されて、厚み約１ｃｍ〜３ｃｍのシート体に成っており、更に長手中心線に沿ってやや頭頂側に寄った領域に、横一線状の２列、左右均等に、各々数個ずつ、約２．５ｃｍ径シリコーン小半球（１７）を、扁平面を枕側に、球面を天井側に向けて、設置してあり、その内の列の左右両端側の数個は着脱式で、他は固定してある。
枕茶シートカバーにおいて、
長手辺の一方・即ち上辺中央域にカバーファスナー（２０）が設けてあり、カバーファスナーの左右両端夫々の隣接位置から対向する長手辺即ち下辺の対称的位置に両端を固定されてループ状を成す紐体、即ち幅約２．５ｃｍ、長さ約５３ｃｍの平ゴム紐で成る二つの装着紐（７）が設けてあり、装着紐の外面には上辺の固定位置から長さの中間までの調節用面ファスナーが設けられて、装着調節部（２１）を成し、
長手辺の他方・即ち下辺沿いに、スナップ取付け片（１５）数個又は面ファスナーを設けて、背面茶シートカバーとの接続部（１０）を成す。
背面茶シートにおいて、
枕茶シートと同様の生地で成り、長手即ち横幅約１００ｃｍ〜１１０ｃｍ、短手即ち縦約６０ｃｍ〜６５ｃｍの、カボチャの縦中央切断面の様な略矩形状であり、上：下≒４：３に二分割する横直線域で、上下各々独立の袋体として閉じられると共に、面ファスナー式の分離結合部（１１）を成し、上部域を背当て部（１２）、下部域を腰当て部（１３）と成し、背当て部も腰当て部も共に全面に亘って、キルティング加工で、横約１３ｃｍ・縦約６ｃｍにほぼ均等に仕切られて整列した多数の小区画房（１９）が形成されており、
背当て部においては、合計約３４０ｇの茶葉が各小区画房に配分封入充填されて、厚み約１ｃｍ〜３ｃｍの膨らみに形成してあり、上辺沿い中央域に一定の間隔で、約４ｃｍ径のループ・即ち接続紐輪（８）が５個設けてあり、
腰当て部においては、左右に二分する縦中心線から左右へ夫々約２６ｃｍの腰当て部中央域（１４）の各小区画房には、小パイプ片充填材約６５ｇ又は茶葉約１５０ｇが充填してあり、中央域以外の残余域の各小区画房には、合計約３０ｇの茶葉を配分封入充填して、厚み約１ｃｍ〜３ｃｍの膨らみに形成されている。
背面茶シートカバーにおいて、
上辺即ち背当て部縁沿い中央域に、枕茶シートカバー下辺域の接続部に対応する形で、スナップ取付け片又は面ファスナーで成る接続部が設けてあり、この接続部の真裏側の袋内部には、背面茶シートの接続紐輪に対応する５本の接続紐（９）が設けてあり、
下辺即ち腰当て部縁沿いにファスナー式の背面茶シート出し入れ口（１６）が設けてある。
背面茶シートは折りたたみ、枕茶シートカバーの装着紐（７）の装着調節部（２１）で留めて一体とすれば、容易に持ち運びできる。
斯用に一体的に構成された枕茶シートと背面茶シートは、夫々を覆い包む枕茶シートカバーと背面茶シートカバーとの接続部において分離されれば、各々単独品として使用することも自由である。
以上を特徴とする安眠茶シートである。
また表面を防水性・撥水性素材とした背面茶シートカバーを背面茶シートに被せれば、乳幼児の就寝時やお昼寝での汚れ防止に使用できる。
本考案は、以上のような構成であり、以下具体的な実施例を説明する。
（イ）安眠茶シートには成分のピラジンやテアニンの効果によって癒し効果がより高い焙じ茶を充填してあり、茶葉の香りで脳がリラックスでき、通気性、吸湿性により吸汗放熱効果がある。
（ロ）枕茶シート（１）及び枕茶シートカバー（３）を使用するときは、枕茶シートカバーのカバーファスナー（２０）から枕茶シートを挿入して一体とする。使用する枕（Ｍ）に枕茶シート及び枕茶シートカバーを被せて使い、必要に応じて装着紐（７）の長さを装着紐に設けた装着調節部（２１）で調節して留めるので枕やシーツの生地を傷めることなく、ずれることもない。また、装着紐は各々４５ｃｍ程の長さの紐、２組としてもよい。
（ハ）睡眠時には、後頭部にシリコーン小半球（１７）が当たるようにすることで指圧のような血行促進による頭寒足熱効果が期待できる。
（ニ）背面茶シート（２）及び背面茶シートカバー（４）を使用するときは、背面茶シートカバーの出し入れ口（１６）から背面茶シートを挿入し、接続紐輪（８）と接続紐（９）を結んでずれないようにする。枕茶シート及び枕茶シートカバーは枕に装着後、背面茶シート及び背面茶シートカバーに、スナップ取付け片（１５）のスナップで接続して出来るだけ隙間がないようにしてセットで使用する。睡眠時には、腰当て部中央域（１４）に乗るように寝ると、左右に寝返りを打っても上半身及び腕がはみ出ることがなく、自然なひんやり冷感と吸汗放熱効果で背中の部分に熱がこもらず、首筋や背中、腕に汗をかきにくく快適な睡眠が得られる。
（ホ）腰当て部中央域（１４）にパイプを充填した腰当て部は、冷えやすい女性に最適である。
（ヘ）腰当て部の中央域に焙じ茶を充填した腰当て部は、男性や乳幼児に最適である。乳幼児には表面に市販の防水シートを用いた背面茶シートカバーを使用すれば汚れを防止できる。
（ト）背面茶シートは折りたたんで、枕茶シートカバーの装着紐（７）の装着調節部（２１）で留めて一体にすれば、コンパクトで持ち運びも容易である。
（チ）安眠茶シートは、使用している間に、週に一回程度、天日干しし乾燥する。またエアウォッシャーを使って汗の汚れも分解・洗浄、消臭できる。夫々のカバーは、取り外しも簡単で、洗濯していつでも清潔で衛生的である。
（リ）背面茶シート及び背面茶シートカバーを使用するときは、日中の気温が３０℃前後（目安）で背中に汗をかくような場合に使用すると効果的である。ただし、背中に汗をかかないようなときに使用すると、冷えて肩がこる可能性がある。
（ヌ）枕茶シートは、茶葉の香りにこだわる人は、充填口（６）から茶葉を交換することができる。
【符号の説明】
【０００９】１  枕茶シート，      ２  背面茶シート，      ３  枕茶シートカバー，
４  背面茶シートカバー，      ５  茶葉充填房，      ６  充填口，
７  装着紐，      ８  接続紐輪，      ９  接続紐，
１０  接続部，      １１  分離結合部，      １２  背当て部，
１３  腰当て部，      １４  腰当て部中央域，
１５  スナップ取付け片，      １６  背面茶シート出し入れ口，
１７  シリコーン小半球，      １８  仕切り線，      １９  小区画房，
２０  カバーファスナー，      ２１  装着調節部，
Ｍ    枕
【図１】
0003223936.tif 000003
【図２】
0003223936.tif 000004
【図７】
0003223936.tif 000005
【図８】
0003223936.tif 000006
【図３】
0003223936.tif 000007
【図４】
0003223936.tif 000008
【図５】
0003223936.tif 000009
【図６】
0003223936.tif 000010